(57)【特許請求の範囲】
【請求項１】
プロジェクションデバイスのためのイルミネーションシステムであって、
複数の第１光線をそれぞれ発する複数の第１光源を含む第１光源モジュールと、
前記複数の第１光源の第１光軸に設けられた少なくとも１つの第１反射ミラー、前記第１反射ミラーを固定し且つ第１固定孔を備える少なくとも１つの第１固定構造及び前記第１固定構造に接続された少なくとも１つの第１調節機構を含む第１反射ミラーモジュールと、
前記第１光源モジュールに対向し、複数の第２光線をそれぞれ発する複数の第２光源を含む第２光源モジュールと、
前記複数の第２光源の第２光軸に設けられた少なくとも１つの第２反射ミラー、前記第２反射ミラーを固定し且つ第２固定孔を備える少なくとも１つの第２固定構造及び前記第２固定構造に接続された少なくとも１つの第２調節機構を含む第２反射ミラーモジュールと、
前記第１固定構造の前記第１固定孔及び前記第２固定構造の前記第２固定孔を貫通し、前記第１固定構造及び前記第２固定構造を位置決めする、補助固定部材と、
を備え、
前記補助固定部材を前記第１固定孔及び前記第２固定孔から引き出すことにより、及び前記第１調節機構及び前記第２調節機構を移動及び回転させることにより、前記第１光軸に対する前記第１反射ミラーの位置及び角度が前記引き出し及び移動及び回転に応じて変化し、且つ前記第２光軸に対する前記第２反射ミラーの位置及び角度が前記引き出し及び移動及び回転に応じて変化し、それにより、前記第１光線が前記第１反射ミラーにより反射され、指定された光路に案内され、且つ前記第２光線が前記第２反射ミラーにより反射され、前記指定された光路に案内される、
イルミネーションシステム。
【請求項２】
集光要素を有し、
前記第１反射ミラーにより第１光線が反射され、第２反射ミラーにより第２光線が反射されたときに、前記第１光線及び前記第２光線が前記集光要素に案内される、
請求項１に記載のイルミネーションシステム。
【請求項３】
前記第１光源のそれぞれと、前記第２光源のそれぞれと、がＭ行Ｎ列の平面アレイに配置される、
請求項１に記載のイルミネーションシステム。
【請求項４】
少なくとも１つの前記第１反射ミラーは、Ｍ個の第１の反射ミラーを備え、前記Ｍ個の第１の反射ミラーはそれぞれ並行に設けられ、
少なくとも１つの前記第２反射ミラーは、Ｍ個の第２の反射ミラーを備え、前記Ｍ個の第２の反射ミラーはそれぞれ並行に設けられる、
請求項３に記載のイルミネーションシステム。
【請求項５】
前記第１反射ミラーは、交互に配置された透過領域及び反射領域を備え、前記第１反射ミラーの前記反射領域は前記第１光軸と整列し、
前記第２反射ミラーは、交互に配置された透過領域及び反射領域を備え、前記第２反射ミラーの前記反射領域は前記第２光軸と整列する、
請求項４に記載のイルミネーションシステム。
【請求項６】
前記少なくとも１つの第１固定構造は、Ｎ個の第１固定構造を備え、前記少なくとも１つの第２固定構造は、Ｎ個の第２固定構造を備え、
前記Ｎ個の第１固定構造と前記Ｎ個の第２固定構造は、交互に配置される、
請求項３に記載のイルミネーションシステム。
【請求項７】
前記第１反射ミラーは、前記第１固定構造により固定及び締められ、
前記第２反射ミラーは、前記第２固定構造により固定及び締められる、
請求項１に記載のイルミネーションシステム。
【請求項８】
カバー部材を有し、
前記カバー部材は、キャリア、フレーム及び側板を備え、
前記フレームは、前記キャリアを収容する収容空間を備え、前記第１反射ミラーモジュール及び前記第２反射ミラーモジュールは、前記キャリアにより支持され、前記側板は、前記フレームに配置され、
前記側板は、複数の孔を備え、前記第１調節機構及び第２調節機構は、対応する前記孔を貫通し且つ一部が前記側板の外部に露出する、
請求項１に記載のイルミネーションシステム。
【請求項９】
前記第１固定構造は、前記第１調節機構と同期して移動又は回転され、
前記第１調節機構は、第１調節レバーを備え、前記第１固定構造は、第１軸穴を備え、前記第１調節レバーは、前記第１軸穴を貫通して移動又は回転され、
前記第２固定構造は、前記第２調節機構と同期して移動又は回転され、
前記第２調節機構は、第２調節レバーを備え、前記第２固定構造は、第２軸穴を備え、前記第２調節レバーは、前記第２軸穴を貫通して移動又は回転される、
請求項１に記載のイルミネーションシステム。
【請求項１０】
カバー部材を有し、
前記カバー部材は、複数の孔を備える側板を有し、
前記第１調節機構、前記第２調節機構及び前記補助固定部材は、前記側板の対応する前記孔を貫通し、前記側板の外部に露出する、
請求項１に記載のイルミネーションシステム。
【発明の詳細な説明】
【技術分野】
【０００１】
本発明はイルミネーションシステムに関連し、より具体的には、反射ミラーモジュールを調節する調節機構を有するイルミネーションシステムに関する。
【背景技術】
【０００２】
近年、様々なプロジェクターが様々なビデオアプリケーションに広く用いられている。例えば、プロジェクターは、プレゼンテーション、ミーティング又は教室、ボードルーム、会議室若しくはホームシアターにおける講義に用いることができる。プロジェクターによれば、画像信号源からの画像信号が増幅され、プロジェクションスクリーンに投影される。電力損失及び全体の体積を低減し、画質を向上させるために、現在のプロジェクターによるイルミネーションシステムは、従来の高輝度放電（ＨＩＤ）ランプ又は超高圧（ＵＨＰ）水銀ランプに代えて、固体発光素子（例：発光ダイオード又はレーザーダイオード）を採用している。
【０００３】
一般的に、全体の光量を増加させるために、従来のイルミネーションシステムでは、複数の固体発光素子がアレイ上に設けられる。さらに、複数の反射ミラーが、固体発光素子のアレイの光軸に沿って整列している。固体発光素子のアレイから発せられた光線は反射ミラーで反射され、同じ集束レンズへと案内される。集束レンズにより光線が集光された後、集光された光線が画像形成システムに案内される。
【０００４】
しかし、発光素子及び反射ミラーの組立公差や、発光素子（例：光線角度）の特性のために、反射ミラーにより反射された光線が効率的に集中されず、同じ集束レンズに案内されない。さらに、反射ミラーを調節するための適切な調節機構が無いので、上記欠点を克服することができない。このような状況の下では、電力損失が増加し、イルミネーションシステムの利用効率が低下する。さらに、プロジェクションデバイスに導入された光線の強度が不十分であるため、画質及び輝度が悪影響を受ける。反射光が指定された光路に沿って伝播されないので、イルミネーションシステムの温度が上昇してしまう。
【０００５】
したがって、上記欠点を克服するために、改善されたイルミネーションシステムの提供が望まれている。
【発明の概要】
【０００６】
本発明の目的は、イルミネーションシステムを提供することである。イルミネーションシステムは、光源と、反射ミラーと、固定構造と、調節機構を有する。調節機構により、光軸に対する反射ミラーの位置及び角度が調節される。その結果、反射ミラーにより反射された光線が、効率的に集光要素へと案内される。その結果、イルミネーションシステムの性能が向上し、組み立てエラーによる電力損失及び過熱の問題が最小化される。
【０００７】
本発明の他の目的は、プロジェクションデバイスの画質及び輝度を向上させるためのイルミネーションシステムを提供することである。
【０００８】
本発明の一側面によれば、プロジェクションデバイスのためのイルミネーションシステムが提供される。イルミネーションシステムは、第１光源モジュール及び第１反射ミラーモジュールを含む。第１光源モジュールは、複数の第１光線をそれぞれ発する複数の第１光源を含む。第１反射ミラーモジュールは、少なくとも１つの第１反射ミラーと、少なくとも１つの第１固定構造と、少なくとも１つの第１調節機構を含む。第１反射ミラーは、複数の第１光源の第１光軸に設けられる。少なくとも１つの第１固定構造は、第１反射ミラーの固定に用いられる。第１調節機構は第１固定構造と接続される。第１調節機構を移動又は回転することにより、第１光軸に対する第１反射ミラーの位置及び角度が回転に応じて変化し、それにより、第１光線が第１反射ミラーにより反射され、指定された光路に案内される。
【０００９】
本発明の他の側面によれば、プロジェクションデバイスのためのイルミネーションシステムが提供される。イルミネーションシステムは、光源と、反射ミラーと、固定構造と、調節機構を含む。光源は、光線を照射する。反射ミラーは、光源の光軸に設けられる。固定構造は、反射ミラーの固定に用いられる。調節機構は、固定構造と接続される。調節機構を移動又は回転することにより、光軸に対する反射ミラーの位置及び角度が回転に応じて変化し、それにより、光線が反射ミラーにより反射され、指定された光路に案内される。
【００１０】
本発明の上述した内容は、以下の詳細な説明及び添付の図面を参照した説明により、当業者にとってより明らかになる。
【図面の簡単な説明】
【００１１】
図１Ａは、本発明の第１実施形態に係るイルミネーションシステムの概略的な分解図である。
【００１２】
図１Ｂは、図１Ａに示されるイルミネーションシステムの概略的な組立図である。
【００１３】
図２は、本発明の第１実施形態に係るイルミネーションシステムの第１反射ミラーモジュールの模式図である。
【００１４】
図３Ａ及び図３Ｂは、本発明の第１実施形態に係るイルミネーションシステムの光線の光路の模式図である。
【００１５】
図４Ａは、本発明の第２実施形態に係るイルミネーションシステムの概略的な分解図である。
【００１６】
図４Ｂは、図４Ａのイルミネーションシステムの概略的な組立図である。
【００１７】
図５は、本発明の第２実施形態に係るイルミネーションシステムの光線の光路の模式図である。
【００１８】
図６は、本発明の第２実施形態に係る第１調節機構による第１反射ミラーの調節のアプローチの模式図である。
【発明を実施するための形態】
【００１９】
本発明は、以下の実施形態を用いてより詳細に説明される。ここで、以下の本発明の好ましい実施形態についての説明は、単なる例示又は説明を目的としていることを理解されたい。また、詳細な説明が本発明を網羅的に説明しているわけでもなく、これらに限定されることを意図するものではない。
【００２０】
図１Ａ、図１Ｂ、図２、図３Ａ及び図３Ｂを参照されたい。図１Ａは、本発明の第１実施形態に係るイルミネーションシステムの概略的な分解図である。図１Ｂは、図１Ａに示されるイルミネーションシステムの概略的な組立図である。図２は、本発明の第１実施形態に係るイルミネーションシステムの第１反射ミラーモジュールの模式図である。図３Ａ及び図３Ｂは、本発明の第１実施形態に係るイルミネーションシステムの光線の光路の模式図である。
【００２１】
本発明に係るイルミネーションシステム１は、プロジェクションデバイスに適用される。プロジェクションデバイスは、例えば、デジタル光処理（ＤＬＰ）プロジェクター又は液晶ディスプレー（ＬＣＤ）プロジェクターを含むが、これらに限定されない。本実施形態では、イルミネーションシステム１は、第１光源モジュール１１と、第１反射ミラーモジュール１２と、カバー部材１６を有する。第１光源モジュール１１は、カバー部材１６の外部に露出し、カバー部材１６の第１サイドに位置する。第１反射ミラーモジュール１２は、少なくとも一部がカバー部材１６内に配置される。第１光源モジュール１１は、１又は複数の第１光源１１１を有する。第１光源１１１はそれぞれ第１光線１１１１を照射する。第１反射ミラーモジュール１２は、少なくとも１つの第１反射ミラー１２１と、少なくとも１つの第１固定構造１２２と、少なくとも１つの第１調節機構１２３を含む。第１反射ミラー１２１はカバー部材１６内に配置され、第１光源１１１の光軸（図示せず）に一致して配置される。第１固定構造１２２は、第１反射ミラー１２１の固定に用いられる。第１調節機構１２３は、一部がカバー部材１６の外部に突き出ており、第１固定構造１２２と接続される。第１固定構造１２２は、第１調節機構１２３に同期して移動又は回転する。つまり、第１調節機構１２３を移動又は回転させることにより、第１光源１１１の光軸に対する第１反射ミラー１２１の位置及び角度が変化する。その結果、第１光線１１１１が第１反射ミラー１２１により反射され、指定された光路に沿って集光要素１５に案内される。
【００２２】
本実施形態では、第１光源モジュール１１は、複数の第１光源１１１を含む。複数の第１光源１１１はそれぞれ、第１光線１１１１を照射する。第１光源１１１は例えば、発光ダイオード又はレーザーダイオードを含むが、これらに限定されない。さらに、複数の第１光源１１１は、平面アレイに配置される。図１Ａに示されるように、第１光源モジュール１１を構成する２４個の第１光源１１１が、４列６行の平面アレイに配置される。なお、第１光源１１１の数及び配置は、実用的な要件に応じて変更されることを理解されたい。さらに、第１光源モジュール１１は、複数の第１光源１１１を固定又は収容するための、１又は複数の第１ベース１１２を有する。本実施形態では、第１光源モジュール１１は、３つの第１ベース１１２を備える。３つの第１ベース１１２は互いに積層され、カバー部材１６の横側に位置する。具体的には、８つの第１光源１１１が４列２行のアレイに配置され、第１ベース１１２のそれぞれにより固定及び収容されるその結果、第１光源モジュール１１からの第１光線１１１１は、同じ発生率で第１反射ミラーモジュール１２へと進行する。
【００２３】
本実施形態では、第１反射ミラーモジュール１２は、複数の第１反射ミラー１２１と、複数の第１固定構造１２２と、複数の調節機構１２３を有する。第１反射ミラー１２１はそれぞれ、対応する第１光源の光路上に位置し、対応する第１光線１１１１を反射する。その結果、複数の第１光線１１１１が集光要素１５に案内される。本実施形態では、第１反射ミラーモジュール１２の第１反射ミラー１２１の数は、第１光源モジュール１１の第１光源１１１の行の数と同じである。例えば、図１Ａに示されるように、第１反射ミラーモジュール１２は６個の第１反射ミラー１２１を備える。６個の第１反射ミラー１２１はそれぞれ、第１光源１１１の６行の光軸上に位置する。本実施形態では、第１反射ミラー１２１は長方形であり、これらの第１反射ミラー１２１はそれぞれ平行に配置される。その結果、第１反射ミラー１２１により反射された複数の第１光線１１１１が互いに干渉しない。ここで、第１反射ミラー１２１の数、配置及び形状は、実用的な要件に応じて変更されることを理解されたい。
【００２４】
再度、図１Ａ、図１Ｂ、図２、図３Ａ及び図３Ｂを参照されたい。さらに、第１反射ミラー１２１はそれぞれ、少なくとも１つの透過領域１２１１及び少なくとも１つの反射領域１２１２を備える。本実施形態では、第１反射ミラー１２１はそれぞれ、４つの透過領域１２１１及び４つの反射領域１２１２を備え、これらは交互に配置される。透過領域１２１１は光透過性を有する。反射領域１２１２は光線を反射できる。例えば、反射領域１２１２は、金属スパッタリングプロセスにより製造される。本実施形態では、４つの反射領域１２１２は、第１光源モジュール１１の対応する第１光源１１１の光軸に一致して配置される。その結果、第１光源からの第１光線１１１１が対応する第１反射ミラー１２１の反射領域１２１２により反射され、集光要素１５に案内される。
【００２５】
本実施形態では、カバー部材１６は、キャリア１７、とフレーム１８と、側板１９を有する。フレーム１８は、キャリア１７を収容する収容スペース１８１を備える。キャリア１７は、第１反射ミラーモジュール１２を支持するために用いられる。第１反射ミラーモジュール１２の第１反射ミラー１２１は、キャリア１７内に配置される。第１固定構造１２２及び第１調節機構１２３は、キャリア１７の外部に位置する。第１光源モジュール１１は、キャリア１７の側面に固定される。側板１９は、フレーム１８上に配置される。さらに、側板１９は、複数の孔１９１を有する。第１調節機構１２３は、孔１９１を貫通し、第１調節機構１２３の一部が側板１９の外部に露出することで、ユーザーにより調節される。
【００２６】
第１固定構造１２２は、クランプ手段、接着手段、スクリュー手段又は係合手段により第１反射ミラー１２１を固定及び支持するために用いられる。図２に示されるように、第１反射ミラー１２１の２つの端部はそれぞれ、第１固定構造１２２に締められる。
【００２７】
第１調節機構１２３は、第１固定構造１２２に接続される。第１調節機構１２３は、カバー部材１６の側板１９に設けられた対応する孔１９１を貫通し、第１調節機構１２３の一部がカバー部材１６の外部に露出する。第１調節機構１２３は、側板１９に設けられた対応する孔１９１に干渉はまりする。知られているように、第１光源モジュール１１又は第１反射ミラーモジュール１２のデザイン又は組立に失敗すると、いくつかの問題が生じ得る。例えば、第１反射ミラー１２１が第１光源１１１の光軸からシフトしたり、反射領域１２１２が第１光源１１１の光軸からずれると、反射された第１光線１１１１を集光要素１５に案内する光軸がずれてしまう。このような状況下では、集光要素１５により第１光線１１１１を効率的に集光することができない。かかる問題を解決するために、ユーザーは、第１調節機構１２３を回転又は移動させ、第１反射ミラー１２１の位置及び角度を第１光源１１１の光軸に対して調節することができる。
【００２８】
ここで、第１調節機構１２３による第１反射ミラー１２１の調節方法は特に限定されないことを理解されたい。他の実施形態では、第１調節機構１２３は、パッキンネジ（図示せず）と、ネジ穴（図示せず）と、ばね（図示せず）を備える。ネジ穴は、第１固定構造１２２内に形成される。ばねは、ネジ穴内に設けられ、パッキンネジの周りを覆う。第１光源モジュール１１又は第１反射ミラーモジュール１２のデザイン又は組立に失敗した場合、ユーザーは、パッキンネジとネジ穴の間の相対的な位置を変化させ、又は、パッキンネジを回転させて、第１反射ミラー１２１の位置及び角度を第１光源１１１の光軸に対して調節することができる。パッキンネジとネジ穴の間の相対的な位置が変化すると、それに応じてばねが伸び縮みする。第１調節機構１２３の移動又は回転により、第１光源１１１の光軸に対する第１反射ミラー１２１の位置及び角度が調節されると、第１反射ミラー１２１の反射領域１２１２が、第１光源モジュール１１の対応する第１光源１１１に位置合わせされ、光軸に沿って第１光線１１１が効率的に集光要素１５に案内される。
【００２９】
再度、図１Ａ、図１Ｂ、図２、図３Ａ及び図３Ｂを参照されたい。本実施形態では、イルミネーションシステム１はさらに、第２光源モジュール１３及び第２反射ミラーモジュール１４を有する。第２光源モジュール１３は、カバー部材１６の外部に露出し、カバー部材１６の第２サイドに位置する。第２反射ミラーモジュール１４は、少なくとも一部がカバー部材１６内に設けられる。第１光源モジュール１１及び第２光源モジュール１３は、カバー部材１６の対向する側部に設けられる。第２光源モジュール１３は、１又は複数の第２光源１３１及び１又は複数の第２ベース１３２を備える。第２光源１３１はそれぞれ、第２光線１３１１を照射する。第２反射ミラーモジュール１４は、少なくとも１つの第２反射ミラー１４１と、少なくとも１つの第２固定構造１４２と、少なくとも１つの第２調節機構１４３を備える。第２固定構造１４２は、第２反射ミラー１４１の固定に用いられる。第２反射ミラー１４１は、対応する第２光線１３１１を反射するために、対応する第２光源１３１の光軸（図示せず）に一致して配置される。さらに、第２反射ミラー１４１はそれぞれ、少なくとも１つの透過領域１４１１及び少なくとも１つの反射領域１４１２を備える。本実施形態では、第２反射ミラー１４１はそれぞれ、４つの透過領域１４１１及び４つの反射領域１４１２を備え、これらは交互に配置される。本実施形態では、４つの反射領域１２１２は、第２光源モジュール１３の対応する第２光源１３１の光軸に一致して配置される。第２光源モジュール１３及び第２反射ミラーモジュール１４の構造及び機能は、第１光源モジュール１１及び第１反射ミラーモジュール１２と同様であり、本明細書において重複して説明しない。
【００３０】
再度、図３Ａ及び図３Ｂを参照されたい。３つの第１反射ミラー１２１ａ、１２１ｂ及び１２１ｃは、３つの第１反射ミラー１２１ｄ、１２１ｅ及び１２１ｆより、集光要素１５の遠方に位置する。３つの第２反射ミラー１４１ａ、１４１ｂ及び１４１ｃは、３つの第２反射ミラー１４１ｄ、１４１ｅ及び１４１ｆより、集光要素１５の遠方に位置する。３つの第１反射ミラー１２１ａ、１２１ｂ及び１２１ｃの反射領域１２１２は、対応する第１光源１１１に一致して配置される。その結果、対応する第１光源１１１からの第１光線１１１１が、３つの第１反射ミラー１２１ａ、１２１ｂ及び１２１ｃの反射領域１２１２により反射され、集光要素１５に案内される。同様に、３つの第２反射ミラー１４１ｄ、１４１ｅ及び１４１ｆの反射領域１４１２は、対応する第２光源１３１に一致して配置される。その結果、対応する第２光源１３１からの第２光線１３１１が、３つの第２反射ミラー１４１ｄ、１４１ｅ及び１４１ｆの反射領域１４１２により反射され、集光要素１５に案内される。
【００３１】
一方、３つの第１反射ミラー１２１ｄ、１２１ｅ及び１２１ｆの反射領域１２１２と、３つの第２反射ミラー１４１ｄ、１４１ｅ及び１４１ｆの透過領域１４１１は、対応する第１光源１１１に対して整列する。その結果、対応する第１光源１１１からの第１光線１１１１は、３つの第２反射ミラー１４１ｄ、１４１ｅ及び１４１ｆの透過領域１４１１を通って進行し、３つの第１反射ミラー１２１ｄ、１２１ｅ及び１２１ｆの反射領域１２１２により反射され、集光要素１５に案内される。同様に、３つの第２反射ミラー１４１ｄ、１４１ｅ及び１４１ｆの反射領域１２１２と、３つの第１反射ミラー１２１ｄ、１２１ｅ及び１２１ｆの透過領域１２１１は、対応する第２光源１３１に対して整列する。その結果、対応する第２光源１３１からの第２光線１３１１は、３つの第１反射ミラー１２１ｄ、１２１ｅ及び１２１ｆの透過領域１２１１を通って進行し、３つの第２反射ミラー１４１ｄ、１４１ｅ及び１４１の反射領域１４１２により反射され、集光要素１５に案内される。第１光源モジュール１１及び第１反射ミラーモジュール１２と、第２光源モジュール１３及び第２反射ミラーモジュール１４の構造及び配置は特別に設計されているので、光線の光路は互いに干渉しない。これにより、空間使用率が向上し、イルミネーションシステムの体積が減少する。
【００３２】
図４Ａ、図４Ｂ、図５及び図６を参照されたい。図４Ａは、本発明の第２実施形態に係るイルミネーションシステムの概略的な分解図である。図４Ｂは、図４Ａのイルミネーションシステムの概略的な組立図である。図５は、本発明の第２実施形態に係るイルミネーションシステムの光線の光路の模式図である。図６は、本発明の第２実施形態に係る第１調節機構による第１反射ミラーの調節のアプローチの模式図である。
【００３３】
本実施形態では、イルミネーションシステム２は、第１光源モジュール２１と、第１反射ミラーモジュール２２と、カバー部材２７を有する。第１光源モジュール２１は、カバー部材２７の外部に露出し、カバー部材２７の第１サイドに位置する。第１反射ミラーモジュール２２は、カバー部材２７の収容空間２７１内に配置される。第１光源モジュール２１は、１又は複数の第１光源２１１を備える。第１光源２１１はそれぞれ、第１光線２１１１を照射する。第１光源モジュール２１の第１光源２１１の数及び配置は、第１実施形態と同様であり、本明細書において重複して説明しない。
【００３４】
第１反射ミラーモジュール２２は、少なくとも１つの第１反射ミラー２２１と、少なくとも１つの第１固定構造２２２と、少なくとも１つの第１調節機構２２３を含む。第１反射ミラー２２１は、対応する第１光源２１１の光軸（図示せず）に一致して配置され、対応する第１光線２１１１を反射する。その結果、第１光線２１１１は、第１反射ミラー２２１により反射され、集光要素２５に案内される。第１固定構造２２２は、クランプ手段、接着手段、スクリュー手段又は係合手段により第１反射ミラー２２１を固定するために用いられる。本実施形態では、第１固定構造２２２の数は、第１光源モジュール２１の第１光源２１１の列の数に等しい。例えば、図４Ａに示されるように、第１反射ミラーモジュール２２は、４つの第１固定構造２２２を有する。４つの第１固定構造２２２は、４つの第１光源２１１に平行に設けられる。さらに、複数の第１反射ミラー２２１は、各第１固定構造２２２に階段状に離散して設けられる。その結果、第１反射ミラー２２１により反射された複数の第１光線２１１１は、互いに干渉しない。例えば、第１光源モジュール２１の２４個の第１光源２１１は、４列６行の平面アレイに配置される。つまり、各列の６つの第１光源は同じ感覚で互いに離間し、６つの第１反射ミラー２２１は、各第１固定構造２２２に階段状に離間して設けられる。具体的には、同じ列の６つの第１光源２１１の光軸はそれぞれ、６つの第１反射ミラー２２１と一致して配置される。その結果、第１光線２１１１は、対応する第１反射ミラー２２１により反射され、集光要素２５に案内される。
【００３５】
第１調節機構２２３は、第１固定構造２２２に接続される。いくつかの実施形態では、第１調節機構２２３は、第１固定構造２２２を貫通し、第１固定構造２２２に接続される。第１調節機構２２３を移動又は回転させることにより、第１光源２１１の光軸に対する第１反射ミラー２２１の位置及び角度が変化する。その結果、第１光線２１１１が第１反射ミラー２２１により反射され、指定された光路に沿って集光要素２５に案内される。本実施形態では、第１調節機構２２３は、調節レバーであるが、これに限定されない。第１固定構造２２２は、調節レバー２２３に対応する軸穴を有する。軸穴の直径は、調節レバー２２３の直径よりわずかに大きい。第１反射ミラーモジュール２２を組み立てるために、第１反射ミラー２２１は、対応する第１光源２１１の光軸に一致して配置され、第１調節機構２２３は、対応する第１固定構造２２２の対応する軸穴を貫通する。
【００３６】
知られているように、第１光源モジュール２１又は第１反射ミラーモジュール２２２のデザイン又は組立に失敗すると、いくつの問題が生じ得る。例えば、第１反射ミラー２２１が第１光源２１１の光軸からシフトしたり、反射領域２２１２が第１光源２１１の光軸からずれると、反射された第１光線２１１１を集光要素２５に案内する光軸がずれてしまう。このような状況下では、集光要素２５により第１光線２１１１を効率的に集光することができない。かかる問題を解決するために、ユーザーは、第１調節機構２２３を回転又は移動させ、第１反射ミラー２２１の位置及び角度を第１光源２１１の光軸に対して調節することができる。
【００３７】
図５を参照されたい。第１調節機構２２３を回転させることにより、第１光源２１１の光軸に対する第１反射ミラー２２１の角度が調節される。その結果、第１反射ミラー２２１により反射された第１光線２１１１が、効率的に集光要素２５に案内される。図６を参照されたい。第１調節機構２２３をＡ方向又はＢ方向に移動させることにより、第１光源２１１の光軸に対する第１反射ミラー２２１の位置が調節される。換言すると、第１光源２１１の光軸に対する第１反射ミラー２２１の位置及び角度は、実用的な要件に応じて、第１調節機構２２３を通して調節され得る。そして、調節された後、第１反射ミラー２２１により反射された第１光線２１１１が、効率的に集光要素２５に案内される。このような状況下では、イルミネーションシステム２の性能が向上し、組み立てエラーによる電力損失及び過熱の問題が最小化される。
【００３８】
再度、図４Ａ、図４Ｂ、図５及び図６を参照されたい。本実施形態では、イルミネーションシステム２はさらに、第２光源モジュール２３及び第２反射ミラーモジュール２４を備える。第２光源モジュール２３は、カバー部材２７の外部に露出し、カバー部材２７の第２サイドに位置する。第１光源モジュール２１及び第２光源モジュール２３は、カバー部材２７の対向する側部に設けられる。第２光源モジュール２３は、１又は複数の第２光源２３１を備える。第２光源２３１はそれぞれ、第２光線（図示せず）を照射する。第２光線と第１光線の干渉を避けるため、同じ行内の第２光源２３１及び第１光源２１１は交互に配置される。第２光源モジュール２３の第２光源２３１の数及び配置は、第１光源モジュール２１の第１光源２１１と同様であり、本明細書において重複して説明しない。
【００３９】
第２反射ミラーモジュール２４は、少なくとも１つの第２反射ミラー２４１と、少なくとも１つの第２固定構造２４２と、少なくとも１つの第２調節機構２４３を有する。第２固定構造２４２は、第２反射ミラー２４１の固定に用いられる。第２反射ミラー２４１は、対応する第２光線を反射するために、対応する第２光源２３１の光軸（図示せず）に一致して配置される。第２調節機構２４３は第２固定構造２４２と接続される。いくつかの実施形態では、第２調節機構２４３は、第２固定構造２４２の軸穴を貫通し、第２固定構造２４２と接続される。第２固定構造２４２は、第２調節機構２４３に同期して移動又は回転する。第２調節機構２４３を移動又は回転させることにより、第２光源２３１の光軸に対する第２反射ミラー２４１の位置及び角度が変化する。その結果、第２光線が第２反射ミラーにより反射され、指定された光路に沿って集光要素２５に案内される。第２光源モジュール２３及び第２反射ミラーモジュール２４の構造及び機能は、第１光源モジュール２１及び第１反射ミラーモジュール２２と同様であり、本明細書において重複して説明しない。
【００４０】
本実施形態では、イルミネーションシステム２は、複数の第１固定構造２２２及び複数の第２固定構造２４２を備える。第１固定構造２２２の数は、第１光源モジュール２１の第１光源２１１の列の数と等しく、第２固定構造２４２の数は、第２光源モジュール２３の第２光源２１３の列の数と等しい。図４Ａに示されるように、４つの第１固定構造２２２が、第１光源２１１の対応する列に一致して配置され、４つの第２固定構造２４２が、第２光源２１３の対応する列に一致して配置される。その結果、第１光線２１１１は、対応する第１反射ミラー２２１により反射され、集光要素２５に案内される。そして、第２光線は、対応する第２反射ミラー２４１により反射され、集光要素２５に案内される。さらに、第１固定構造２２２及び第２固定構造２４２は交互に配置される。第１固定構造２２２及び第２固定構造２４２が交互に配置されることにより、第１光線２１１１及び第２光線は互いに干渉しない。
【００４１】
いくつかの実施形態では、カバー部材２７はさらに、側板２７２を有する。側板２７２は、複数の孔２７３を備える。イルミネーションシステム２はさらに、補助固定部材２６を有する。補助固定部材２６は、例えば、固定ロッドであるが、これに限定されない。補助固定部材２６は、複数の第１固定構造２２２及び複数の第２固定構造２４２の位置決めに用いられる。図４Ａ及び図４Ｂに示されるように、第１調節機構２２３、第２調節機構２４３及び補助固定部材２６は、側板２７２の対応する孔２７３を貫通し、側板２７２の外部に露出する。さらに、複数の第１固定構造２２２及び複数の第２固定構造２４２はそれぞれ、固定孔を備える。複数の第１固定構造２２２の固定孔と、複数の第２固定構造２４２の固定孔は、互いに整列する。複数の第１固定構造２２２の固定孔及び複数の第２固定構造２４２の固定孔を補助固定部材２６が貫通した後、複数の第１固定構造２２２及び複数の第２固定構造２４２が補助固定部材２６により位置決めされる。あるいは、補助固定部材２６は、複数の第１固定構造２２２の固定孔及び複数の第２固定構造２４２の固定孔から引き出されることが可能であり、これにより複数の第１固定構造２２２及び複数の第２固定構造２４２の位置及び角度を調節することができる。
【００４２】
以上の説明より、本発明は、イルミネーションシステムを提供する。イルミネーションシステムは、光源と、反射ミラーと、固定構造と、調節機構を有する。調節機構により、光源の光軸に対する反射ミラーの位置及び角度が調節される。その結果、反射ミラーにより反射された光線が、効率的に集光要素案内される。その結果、イルミネーションシステム２の性能が向上し、組み立てエラーによる電力損失及び過熱の問題が最小化される。
【００４３】
本発明は、最も実用的かつ好ましい実施形態と現在考えられるものに関して説明してきたが、本発明は、開示された実施形態に限定される必要はないことを理解されたい。それどころか、添付の特許請求の範囲の精神及び範囲内に含まれる様々な改変及び類似の構成を包含することが意図されており、あらゆる修正及び類似の構造を包含するような最も広い解釈に従うべきである。
【図１】
0006258234.tif 000002
【図２】
0006258234.tif 000003
【図３】
0006258234.tif 000004
【図４】
0006258234.tif 000005
【図５】
0006258234.tif 000006
【図６】
0006258234.tif 000007